(57)【要約】【課題】電気製品毎にスイッチの切り忘れを通知する利便性の高いホームセキュリティ装置を提供する。【解決手段】プラグ２ｂ１、コンセント２ｃ１、アンテナ２ｄ１、電流センサ４、無線送信部５、電源部６、無線受信部７、駆動部８、スイッチ９を備え、プラグ２ｂ１を電源コンセントＣ１に接続し、コンセント２ｃ１を電気製品ＥＰ１に接続するだけで電源部６の直流電源ＶＣで動作し、電気製品ＥＰ１に流れる電流Ｉを検出して検出信号を無線送信する検出ユニット２ａ１と、アンテナ１２、無線受信部１３、制御部１４、比較部１５、通知部１６、無線送信部１７、モード設定スイッチＳＷａ、電源オフスイッチＳＷｂを備え、外出モード設定時に、検出ユニット２ａ１からの検出信号を受信して電気製品ＥＰ１の電源スイッチ切り忘れを表示や音声で通知する本体ユニット３とから構成する。【選択図】  図１
2004272771.tif 000002
【特許請求の範囲】
【請求項１】
電気製品の電源スイッチ切り忘れを通知するホームセキュリティ装置であって、
前記電気製品と電源コンセントとの間に接続して前記電気製品に流れる電流を検出し、検出信号を無線で送信するとともに、前記電源コンセントの電源で単独に動作する検出ユニットと、前記検出ユニットから送信される検出信号を受信し、検出信号が外出モードの基準値を超える場合には、前記電気製品の電源スイッチをオフするように表示や音声で通知する本体ユニットと、を備えたことを特徴とするホームセキュリティ装置。
【請求項２】
前記検出ユニットは、前記電気製品に流れる電流を検出する電流センサと、前記電流センサが検出した検出信号を送信する無線送信部と、前記電源コンセントの交流電源を直流電源に変換する電源部と、前記電源コンセントに接続するプラグと、前記電気製品を接続するコンセントと、を備えたことを特徴とする請求項１記載のホームセキュリティ装置。
【請求項３】
前記本体ユニットは、検出信号を受信する無線受信部と、検出信号と基準値を比較し、検出信号が基準値を超える場合に比較信号を出力する比較部と、前記比較部からの比較信号に基づいて電源切り忘れの表示や音声を出力する通知部と、在宅モードと外出モードを設定するモード設定スイッチと、ユニット全体の動作を制御する制御部と、を備えたことを特徴とする請求項１記載のホームセキュリティ装置。
【請求項４】
前記本体ユニットは、電源オフ情報を出力する電源オフスイッチと、電源オフ情報を送信する無線送信部と、を備え、
前記検出ユニットは、電源オフ情報を受信する無線受信部と、受信した電源オフ情報に基づいて駆動信号を発生する駆動部と、駆動信号に基づいて交流電源を遮断するスイッチと、を備えたことを特徴とする請求項１記載のホームセキュリティ装置。
【発明の詳細な説明】
【０００１】
【発明の属する技術分野】
本発明は、外出時に家庭用電気製品のスイッチ切り忘れを通知するホームセキュリティ装置に係り、特に電源コンセントに指し込み、電気製品を接続するだけで対象となる電気製品のスイッチ切り忘れを表示や音声で通知するホームセキュリティ装置に関する。
【０００２】
【従来の技術】
従来のホームセキュリティ装置は、「特許文献１」（セキュリティインターホン装置）に開示されているように、電化製品を使用しない外出時の電流量を登録するメモリを備えた分電盤を備え、玄関錠を住居の外側から施錠した信号を受けて住居の電流量を検出してメモリに登録された外出時の電流量と比較し、住居の電流量がメモリに登録された電流量を超えた場合には、警告音をインターホンのスピーカから発生させて電化製品のスイッチ切り忘れによる電気使用量の浪費を防止するものが知られている。
【０００３】
【特許文献１】
特開２０００−２８６９７０号公報
【０００４】
【発明が解決しようとする課題】
「特許文献１」（セキュリティインターホン装置）に開示された従来のホームセキュリティ装置は、電化製品毎に電源のスイッチ切り忘れをチェックして警告音を発生する構成ではないため、警告音が発生した場合、玄関錠を住居の外側から開錠して住居内に戻り、電化製品の全てについてスイッチ切り忘れがないかを確認しなければならず、外出時のあわただしい中で、確認に時間を要するとともに煩わしく、再度スイッチ切り忘れを招く課題がある。
【０００５】
また、「特許文献１」に開示された従来のホームセキュリティ装置は、外出時の電流量をメモリに登録するが、電化製品の追加や変更に伴い、外出時の電流量をメモリに再登録する必要があり、また、再登録する必要があるかどうかも容易に分らない場合もある。
【０００６】
この発明はこのような課題を解決するためになされたもので、その目的は電気製品毎にスイッチの切り忘れを通知する利便性の高いホームセキュリティ装置を提供することにある。
【０００７】
【課題を解決するための手段】
前記課題を解決するためこの発明に係るホームセキュリティ装置は、電気製品と電源コンセントとの間に接続して電気製品に流れる電流を検出し、検出信号を無線で送信するとともに、電源コンセントの電源で単独に動作する検出ユニットと、検出ユニットから送信される検出信号を受信し、検出信号が外出モードの基準値を超える場合には、電気製品の電源スイッチをオフするように表示や音声で通知する本体ユニットとを備えたことを特徴とする。
【０００８】
この発明に係るホームセキュリティ装置は、電気製品と電源コンセントとの間に接続して電気製品に流れる電流を検出し、検出信号を無線で送信するとともに、電源コンセントの電源で単独に動作する検出ユニットと、検出ユニットから送信される検出信号を受信し、検出信号が外出モードの基準値を超える場合には、電気製品の電源スイッチをオフするように表示や音声で通知する本体ユニットとを備えたので、電気製品と電源コンセントとの間に接続するだけで検出ユニットが動作状態となり、検出ユニットを取り付けた電気製品に電流が流れている場合には、表示や音声で電源スイッチをオフする電気製品を特定することができ、利便性の向上を図ることができる。
【０００９】
また、この発明に係る検出ユニットは、電気製品に流れる電流を検出する電流センサと、電流センサが検出した検出信号を送信する無線送信部と、電源コンセントの交流電源を直流電源に変換する電源部と、電源コンセントに接続するプラグと、電気製品を接続するコンセントとを備えたことを特徴とする。
【００１０】
この発明に係る検出ユニットは、電気製品に流れる電流を検出する電流センサと、電流センサが検出した検出信号を送信する無線送信部と、電源コンセントの交流電源を直流電源に変換する電源部と、電源コンセントに接続するプラグと、電気製品を接続するコンセントとを備えたので、電源コンセントにプラグを指し込み、コンセントに電気製品を接続するだけで動作状態となり、電気製品に流れる電流を検出して検出信号を無線で送信することができ、設置工事が単純で使い勝手の良さを実現することができる。
【００１１】
さらに、この発明に係る本体ユニットは、検出信号を受信する無線受信部と、検出信号と基準値を比較し、検出信号が基準値を超える場合に比較信号を出力する比較部と、比較部からの比較信号に基づいて電源スイッチ切り忘れの表示や音声を出力する通知部と、在宅モードと外出モードを設定するモード設定スイッチと、ユニット全体の動作を制御する制御部とを備えたことを特徴とする。
【００１２】
この発明に係る本体ユニットは、検出信号を受信する無線受信部と、検出信号と基準値を比較し、検出信号が基準値を超える場合に比較信号を出力する比較部と、比較部からの比較信号に基づいて電源スイッチ切り忘れの表示や音声を出力する通知部と、在宅モードと外出モードを設定するモード設定スイッチと、ユニット全体の動作を制御する制御部とを備えたので、モード設定スイッチを外出モードに設定するだけで、検出ユニットから電気製品を特定して電源スイッチ切り忘れを表示や音声で通知することができ、使い勝手ならびに利便性の向上を図ることができる。
【００１３】
また、この発明に係るホームセキュリティ装置の本体ユニットは、電源オフ情報を出力する電源オフスイッチと、電源オフ情報を送信する無線送信部とを備え、検出ユニットは、電源オフ情報を受信する無線受信部と、受信した電源オフ情報に基づいて駆動信号を発生する駆動部と、駆動信号に基づいて交流電源を遮断するスイッチとを備えたことを特徴とする。
【００１４】
この発明に係るホームセキュリティ装置の本体ユニットは、電源オフ情報を出力する電源オフスイッチと、電源オフ情報を送信する無線送信部とを備え、検出ユニットは、電源オフ情報を受信する無線受信部と、受信した電源オフ情報に基づいて駆動信号を発生する駆動部と、駆動信号に基づいて交流電源を遮断するスイッチとを備えたので、外出時に、電源オフスイッチを操作するだけで、検出ユニットのスイッチをオフにして電気製品に流れる電流を遮断し、実質的に電気製品の電源スイッチの切り忘れを防止することができ、使い勝手の良さと利便性の向上を実現することができる。
【００１５】
【発明の実施の形態】
以下、この発明の実施の形態を添付図面に基づいて説明する。図１はこの発明に係るホームセキュリティ装置の一実施の形態構成図である。図１において、ホームセキュリティ装置１は、外出時に、電気製品（テレビ）ＥＰ１〜電気製品（エアコン）ＥＰｎの電源スイッチ切り忘れを通知するものであり、検出ユニット２ａ１〜２ａｎと、本体ユニット３とから構成する。
【００１６】
検出ユニット２ａ１〜２ａｎは、家庭内の電源コンセントＣ１〜電源コンセントＣｎ（一般的に、ＡＣ１００Ｖ用）と、電気製品（テレビ）ＥＰ１〜電気製品（エアコン）ＥＰｎとの間に接続し、電源スイッチを切り忘れている電気製品（テレビ）ＥＰ１〜電気製品（エアコン）ＥＰｎに流れる電流を検出し、検出信号をアンテナ２ｄ１〜２ｄｎから無線で送信するとともに、接続した電源コンセントＣ１〜電源コンセントＣｎの電源（ＡＣ１００Ｖ）を用いて直流電源に変換し、変換した直流電源で単独に電流検出や検出信号の無線送信の動作を実行する。
【００１７】
検出ユニット２ａ１〜２ａｎは、プラグ２ｂ１〜２ｂｎを電源コンセントＣ１〜Ｃｎに差し込んで接続し、コンセント２ｃ１〜２ｃｎに電気製品（テレビ）ＥＰ１〜電気製品（エアコン）ＥＰｎのプラグＰ１〜Ｐｎを差し込んで接続する形態を有する。
【００１８】
また、検出ユニット２ａ１〜２ａｎは、接続した電源コンセントＣ１〜Ｃｎの交流電源（ＡＣ１００Ｖ）から直流電源を生成し、この直流電源で単独に電気製品（テレビ）ＥＰ１〜電気製品（エアコン）ＥＰｎに流れる電流の検出、検出信号の無線送信の動作を賄うので、電気製品ＥＰ１〜ＥＰｎを接続すると、直ちに動作を開始する。
【００１９】
本体ユニット３は、検出ユニット２ａ１〜２ａｎから送信される検出信号をアンテナ１２で受信し、受信した検出信号が外出モード設定時の基準値を超える場合には、電気製品ＥＰ１〜ＥＰｎの電源スイッチをオフするように、該当する電気製品ＥＰ１〜ＥＰｎの名盤Ｍ１〜Ｍｎに対応した発光ダイオードＬＥＤ１〜ＬＥＤｎを点灯させたり、スピーカＳＰから音声を出力させたりして通知する。
【００２０】
本体ユニット３は、外出時にモード設定スイッチＳＷａを操作して外出モードに設定すると、各電気製品ＥＰ１〜ＥＰｎの外出時の基準値が設定されるとともに、発光ダイオードＬＥＤ１〜ＬＥＤｎおよびスピーカＳＰの駆動が可能となる。なお、外出時に設定される基準値とは、待機電力（電流）のない電気コタツやアイロンなどは、基準値が０であり、待機電力（電流）があるＴＶ（テレビ）、ＶＴＲ、エアコン（リモコンの有る電気製品）などは、待機電力（電流）がそれぞれ異なる基準値として設定される。
【００２１】
また、本体ユニット３は、電源スイッチ切り忘れの電気製品ＥＰ１〜ＥＰｎが発光ダイオードＬＥＤ１〜ＬＥＤｎに表示されたり、スピーカＳＰから音声出力されたりした状態で、電源オフスイッチＳＷｂを操作すると、電源オフ情報を発生し、アンテナ１２から電源オフ情報を無線で送信する。
【００２２】
本体ユニット３（アンテナ１２）から無線送信された電源オフ情報は、検出ユニット２ａ１〜２ａｎのアンテナ２ｄ１〜２ｄｎで受信され、後述する検出ユニット２ａ１〜２ａｎ内のスイッチをオフ状態にし、電源ラインを切断して電源スイッチ切り忘れによる電気製品ＥＰ１〜ＥＰｎに流れる電流を遮断し、実質的に電気製品ＥＰ１〜ＥＰｎの電源スイッチをオフ状態にする。
【００２３】
なお、急いで外出する際には、モード設定スイッチＳＷａを外出モードに設定した後、続いて電源オフスイッチＳＷｂを操作し、電気製品ＥＰ１〜ＥＰｎの電源スイッチ切り忘れを発光ダイオードＬＥＤ１〜ＬＥＤｎやスピーカＳＰから確認することなく、検出ユニット２ａ１〜２ａｎ内のスイッチをオフ状態にすることもできる。
【００２４】
このように、この発明に係るホームセキュリティ装置１は、電気製品ＥＰ１〜ＥＰｎと電源コンセントＣ１〜Ｃｎとの間に接続して電気製品ＥＰ１〜ＥＰｎに流れる電流を検出し、検出信号を無線で送信するとともに、電源コンセントＣ１〜Ｃｎの電源で単独に動作する検出ユニット２ａ１〜２ａｎと、検出ユニット２ａ１〜２ａｎから送信される検出信号を受信し、検出信号が外出モードの基準値を超える場合には、電気製品ＥＰ１〜ＥＰｎの電源スイッチをオフするように表示や音声で通知する本体ユニット３とを備えたので、電気製品ＥＰ１〜ＥＰｎと電源コンセントＣ１〜Ｃｎとの間に接続するだけで検出ユニット２ａ１〜２ａｎが動作状態となり、検出ユニット２ａ１〜２ａｎを取り付けた電気製品ＥＰ１〜ＥＰｎに電流が流れている場合には、表示や音声で電源スイッチをオフする電気製品ＥＰ１〜ＥＰｎを特定することができ、利便性の向上を図ることができる。
【００２５】
図２はこの発明に係る検出ユニットの一実施の形態要部ブロック構成図である。なお、検出ユニット２ａ１〜２ａｎは同じ構成なので、検出ユニット２ａ１についてのみ説明する。図２において、検出ユニット２ａ１は、プラグ２ｂ１、コンセント２ｃ１、アンテナ２ｄ１、電流センサ４、無線送信部５、電源部６、無線受信部７、駆動部８、スイッチ９を備える。
【００２６】
プラグ２ｂ１とコンセント２ｃとを電源ラインＬＡＣで接続して電流Ｉの経路とし、電源ラインＬＡＣのＰ点およびＱ点に電源部６を接続する。また、電源ラインＬＡＣのコンセント２ｃ１側（Ｘ点，Ｙ点間）にスイッチ９を挿入し、スイッチ９をオンまたはオフすることにより、電流Ｉを電気製品（テレビ）ＥＰ１に流したり、電流Ｉを遮断したりする。
【００２７】
電流センサ４は、電源ラインＬＡＣに流れる電気製品ＥＰ１の電流Ｉを検出し、電流Ｉに対応した検出信号ＳＤを無線送信部５に供給する。
【００２８】
無線送信部５は、増幅器、周波数信号（例えば、ｆ１）の発信器、変調器等で構成し、電流センサ４から供給される検出信号ＳＤを増幅して変調を施し、送信信号ＪＴＩをアンテナ２ｄ１から無線で送信する。
【００２９】
電源部６は、電源ラインＬＡＣのＰ点およびＱ点から取り込んだ交流電源（ＡＣ１００Ｖ）を直流電源ＶＣに変換し、直流電源ＶＣで電流センサ４、無線送信部５、無線受信部７および駆動部８を駆動する。
【００３０】
図３はこの発明に係る電源部の一実施の形態ブロック構成図である。図３において、電源部６は、入力端Ｐ点およびＱ点に挿入した抵抗器Ｒ１および抵抗器Ｒ２、全波整流回路１０、平滑コンデンサＣＯ、定電圧回路１１を備える。
【００３１】
抵抗器Ｒ１および抵抗器Ｒ２は、交流電源（ＡＣ１００Ｖ）を降圧し、全波整流回路１０は、ダイオードＤ１〜Ｄ４からなるダイオードブリッジで降圧した交流電源を全波整流した後、平滑コンデンサＣＯで平滑して直流電源に変換し、定電圧回路１１で検出ユニット２ａ１に必要とされる安定化した直流電源ＶＣを出力する。
【００３２】
無線受信部７は、復調器、増幅器等で構成し、本体ユニット３から無線送信された電源オフ情報の送信信号ＪＴＳをアンテナ２ｄ１で受信した後に復調を施し、電源オフ信号ＳＯＦを駆動部８に供給する。
【００３３】
駆動部８は、リレー駆動回路、リレー等で構成し、無線受信部７から供給される電源オフ信号ＳＯＦに基づいてリレーのコイルにコイル電流を流し、ノーマルメーク接点構成のリレー接点（スイッチ９）をメーク状態（実線表示）からブレーク状態（破線表示）にして電源ラインＬＡＣを切断し、電源ラインＬＡＣに流れる電流Ｉを遮断する。
【００３４】
このように、この発明に係る検出ユニット２ａ１は、電気製品ＥＰ１に流れる電流を検出する電流センサ４と、電流センサ４が検出した検出信号ＳＤを送信する無線送信部５と、電源コンセントＣ１の交流電源（ＡＣ１００Ｖ）を直流電源ＶＣに変換する電源部６と、電源コンセントＣ１に接続するプラグ２ｂ１と、電気製品ＥＰ１を接続するコンセント２ｃ１とを備えたので、電源コンセントＣ１にプラグ２ｂ１を指し込み、コンセント２ｃ１に電気製品ＥＰ１を接続するだけで動作状態となり、電気製品ＥＰ１に流れる電流Ｉを検出して検出信号ＳＤを無線で送信することができ、設置工事が単純で使い勝手の良さを実現することができる。
【００３５】
図４はこの発明に係る本体ユニットの一実施の形態要部ブロック構成図である。図４において、本体ユニット３は、アンテナ１２、無線受信部１３、制御部１４、比較部１５、通知部１６、無線送信部１７、モード設定スイッチＳＷａ、電源オフスイッチＳＷｂを備える。
【００３６】
アンテナ１２は、検出ユニット２ａ１から送信されてくる送信信号ＪＴＩを受信して無線受信部１３に供給するとともに、無線送信部１７から供給される電源オフ情報の送信信号ＪＴＳを無線で送信する。
【００３７】
無線受信部１３は、復調器、増幅器等で構成し、アンテナ１２から供給される送信信号ＪＴＩに復調を施して検出信号ＳＤとし、検出信号ＳＤを比較部１５に提供する。
【００３８】
制御部１４は、マイクロプロセッサを基本に処理機能、演算機能、シーケンス機能を備え、無線受信部１３、制御部１４、比較部１５、通知部１６、無線送信部１７の動作を制御し、モード設定スイッチＳＷａ、電源オフスイッチＳＷｂからの外出モード情報ＪＭおよび電源オフ情報ＪＰを処理する。
【００３９】
比較部１５は、演算増幅器等の比較回路、ソフト制御の比較機能を備え、予め設定した電気製品ＥＰ１〜ＥＰｎの予備電流ＩＹに対応した基準値ＳＫと、無線受信部１３から提供される検出信号ＳＤとを比較し、検出信号ＳＤが予備電流ＩＹに対応した基準値ＳＫを超える場合（ＳＤ＞ＳＫ）には、比較信号ＳＴを通知部１６に供給する。なお、電気製品ＥＰ１〜ＥＰｎの予備電流ＩＹとは、例えばテレビの場合、常に流しておく電流のことを表わす。
【００４０】
通知部１６は、電気製品ＥＰ１〜ＥＰｎに対応した表示器、『電源スイッチの切り忘れがあります。電源スイッチを切ってください。』等の音声を出力するスピーカＳＰ等を備え、制御部１４から供給される通知制御信号ＳＧに基づいて外出時に電気製品ＥＰ１〜ＥＰｎの電源スイッチ切り忘れを通知する。
【００４１】
図５はこの発明に係る通知部の一実施の形態要部ブロック構成図である。図５において、通知部１６は、表示駆動回路１８および発光ダイオードＬＥＤの表示系と、音声合成回路１９およびスピーカＳＰの音声系を備え、比較部１５から供給される比較信号ＳＴに基づいて電気製品ＥＰ１〜ＥＰｎの電源スイッチ切り忘れを表示し、音声で通知する。
【００４２】
表示駆動回路１８は、トランジスタやＦＥＴの電流駆動回路で構成し、比較信号ＳＴに基づいて駆動電流で発光ダイオードＬＥＤを駆動し、発光ダイオードＬＥＤが発光して電気製品ＥＰ１〜ＥＰｎの切り忘れを表示する。
【００４３】
音声合成回路１９は、比較信号ＳＴに基づいて音声合成信号をスピーカＳＰに供給し、スピーカＳＰから、例えば『電源スイッチの切り忘れがあります。電源スイッチを切ってください。』等の音声を出力して電気製品ＥＰ１〜ＥＰｎの電源スイッチ切り忘れを通知する。なお、スピーカＳＰから出力する音声は、電気製品ＥＰ１〜ＥＰｎに共通した『電源スイッチの切り忘れがあります。スイッチを切ってください。』の構成でもよく、『テレビの電源スイッチ切り忘れがあります。』等の電気製品ＥＰ１〜ＥＰｎ個々に対して順番に音声を発生するように構成してもよい。
【００４４】
無線送信部１７は、増幅器、周波数（例えば、ｆｏ）信号の発信器、変調器等で構成し、制御部１４から供給される電源オフスイッチＳＷｂ操作時の電源オフ情報ＪＰに対応した電源オフ信号ＳＣを増幅して変調を施し、電源オフ情報ＪＴＳをアンテナ１２から無線で送信する。
【００４５】
モード設定スイッチＳＷａは、押し釦スイッチ等で構成し、在宅モードと外出モードの切替えが可能で、外出時に操作して外出モードにすることによって外出モード情報ＪＭを制御部１４に提供して本体ユニット３を外出モードに設定し、無線受信部１３、比較部１５、通知部１６、無線送信部１７を外出モードの動作状態に設定する。
【００４６】
電源オフスイッチＳＷｂは、押し釦スイッチ等で構成し、通知部１６から電気製品ＥＰ１〜ＥＰｎの電源スイッチ切り忘れ通知がある場合に操作し、電源オフ情報ＪＰを制御部１４に提供し、無線送信部１７からアンテナ１２を介して電源オフ情報ＪＴＳを無線送信させ、検出ユニット２ａ１〜２ａｎのスイッチ９をオフ状態にして電源ラインＬＡＣを切断し、電気製品ＥＰ１〜ＥＰｎに流れる電流Ｉを遮断して実質的に電気製品ＥＰ１〜ＥＰｎの電源スイッチがオフとなるように設定する。
【００４７】
このように、この発明に係る本体ユニット３は、検出信号を受信する無線受信部１３と、検出信号と基準値を比較し、検出信号が基準値を超える場合に比較信号を出力する比較部１５と、比較部１５からの比較信号に基づいて電源スイッチ切り忘れの表示や音声を出力する通知部１６と、在宅モードと外出モードを設定するモード設定スイッチＳＷａと、ユニット全体の動作を制御する制御部１４とを備えたので、モード設定スイッチＳＷａを外出モードに設定するだけで、検出ユニット２ａ１〜２ａｎから電気製品ＥＰ１〜ＥＰｎを特定して電源スイッチ切り忘れを表示や音声で通知することができ、使い勝手ならびに利便性の向上を図ることができる。
【００４８】
また、この発明に係るホームセキュリティ装置１の本体ユニット３は、電源オフ情報を出力する電源オフスイッチＳＷｂと、電源オフ情報を送信する無線送信部１７とを備え、検出ユニット２ａ１は、電源オフ情報を受信する無線受信部７と、受信した電源オフ情報に基づいて駆動信号を発生する駆動部８と、駆動信号に基づいて交流電源を遮断するスイッチ９とを備えたので、外出時に、電源オフスイッチＳＷｂを操作するだけで、検出ユニット２ａ１のスイッチ９をオフにして電気製品ＥＰ１に流れる電流を遮断し、実質的に電気製品ＥＰ１の電源スイッチの切り忘れを防止することができ、使い勝手の良さと利便性の向上を実現することができる。
【００４９】
【発明の効果】
以上説明したように、この発明に係るホームセキュリティ装置は、電気製品と電源コンセントとの間に接続して電気製品に流れる電流を検出し、検出信号を無線で送信するとともに、電源コンセントの電源で単独に動作する検出ユニットと、検出ユニットから送信される検出信号を受信し、検出信号が外出モードの基準値を超える場合には、電気製品の電源スイッチをオフするように表示や音声で通知する本体ユニットとを備えたので、電気製品と電源コンセントとの間に接続するだけで検出ユニットが動作状態となり、検出ユニットを取り付けた電気製品に電流が流れている場合には、表示や音声で電源スイッチをオフする電気製品を特定することができ、利便性の向上を図ることができる。
【００５０】
また、この発明に係る検出ユニットは、電気製品に流れる電流を検出する電流センサと、電流センサが検出した検出信号を送信する無線送信部と、電源コンセントの交流電源を直流電源に変換する電源部と、電源コンセントに接続するプラグと、電気製品を接続するコンセントとを備えたので、電源コンセントにプラグを指し込み、コンセントに電気製品を接続するだけで動作状態となり、電気製品に流れる電流を検出して検出信号を無線で送信することができ、設置工事が単純で使い勝手の良さを実現することができる。
【００５１】
さらに、この発明に係る本体ユニットは、検出信号を受信する無線受信部と、検出信号と基準値を比較し、検出信号が基準値を超える場合に比較信号を出力する比較部と、比較部からの比較信号に基づいて電源スイッチ切り忘れの表示や音声を出力する通知部と、在宅モードと外出モードを設定するモード設定スイッチと、ユニット全体の動作を制御する制御部とを備えたので、モード設定スイッチを外出モードに設定するだけで、検出ユニットから電気製品を特定して電源スイッチ切り忘れを表示や音声で通知することができ、使い勝手ならびに利便性の向上を図ることができる。
【００５２】
また、この発明に係るホームセキュリティ装置の本体ユニットは、電源オフ情報を出力する電源オフスイッチと、電源オフ情報を送信する無線送信部とを備え、検出ユニットは、電源オフ情報を受信する無線受信部と、受信した電源オフ情報に基づいて駆動信号を発生する駆動部と、駆動信号に基づいて交流電源を遮断するスイッチとを備えたので、外出時に、電源オフスイッチを操作するだけで、検出ユニットのスイッチをオフにして電気製品に流れる電流を遮断し、実質的に電気製品の電源スイッチの切り忘れを防止することができ、使い勝手の良さと利便性の向上を実現することができる。
【図面の簡単な説明】
【図１】この発明に係るホームセキュリティ装置の一実施の形態構成図
【図２】この発明に係る検出ユニットの一実施の形態要部ブロック構成図
【図３】この発明に係る電源部の一実施の形態ブロック構成図
【図４】この発明に係る本体ユニットの一実施の形態要部ブロック構成図
【図５】この発明に係る通知部の一実施の形態要部ブロック構成図
【符号の説明】
１  ホームセキュリティ装置
２ａ１〜２ａｎ    検出ユニット
２ｂ１〜２ｂｎ，Ｐ１〜Ｐｎ  プラグ
２ｃ１〜２ｃｎ    コンセント
２ｄ１〜２ｄｎ，１２  アンテナ
３  本体ユニット
４  電流センサ
５，１７  無線送信部
６  電源部
７，１３  無線受信部
８  駆動部
９  スイッチ
１０  全波整流回路
１１  定電圧回路
１４  制御部
１５  比較部
１６  通知部
１８  表示駆動部
１９  音声合成回路
ＬＡＣ  電源ライン
ＬＥＤ１〜ＬＥＤｎ，ＬＥＤ  発光ダイオード
Ｍ１〜Ｍｎ  名盤
ＳＷａ  モード設定スイッチ
ＳＷｂ  電源オフスイッチ
ＳＰ  スピーカ
ＶＡＣ  交流電源
ＶＣ    直流電源
Ｒ１，Ｒ２  抵抗器
Ｄ１〜Ｄ４  ダイオード
ＣＯ    平滑コンデンサ
Ｃ１〜Ｃｎ  電源コンセント
ＥＰ１〜ＥＰｎ  電気製品
【図１】
2004272771.tif 000003
【図２】
2004272771.tif 000004
【図３】
2004272771.tif 000005
【図４】
2004272771.tif 000006
【図５】
2004272771.tif 000007